(57)【要約】      （修正有）【課題】大小多種の袋を開口起立させて、一人で効率が良く袋詰めができ、操作がしやすく、風圧や傾斜地でも倒れにくく、単純な構成で容易に製造ができ耐久性があり取り扱いのしやすい袋詰め補助具を提供する。【解決手段】弾発力のある一枚の長方形状の平板の両側端へ凹凸を直線状に成形した横ずれ止め２を、平板の幅の五分の一程度の幅で、上端より下端まで縦長に複数設け、平板の中心より上方の側端より人の指一本程度離して、指４本が充分に挿入できる細長の孔を両側端に設けて把持口３とし、平板の長手方向の中央の上端より平板全体の一割分程度下に、人の手の幅程で薄板が差し込める細孔４を横長に設け、その孔へ、袋の倒れ止めとして、人の手程の幅で長方形の薄板を側面方向から見てＣ形状に形成して差し込んだ事を特徴とする。【選択図】図４
0003208822.tif 000002
【実用新案登録請求の範囲】
【請求項１】
弾発力のある一枚の長方形状の平板の両側端へ、凹凸を直線状に成形した横ずれ止めを、平板の幅の五分の一程度の幅で、上端より下端まで縦長に複数設けた事を特徴とする袋詰め補助具。
【請求項２】
平板の中心より上方の側端より人の指１本程度離して、指４本が充分に挿入できる細長の孔を端縁部に沿って両側端に設け、把持孔としたことを特徴とする請求項１に記載された袋詰め補助具。
【請求項３】
平板の長手方向の中央の上端より、平板全体の一割分程度下に、人の手の幅程で薄板が差し込める細孔を横長に設け、その孔へ人の手の幅程で長方形の薄板を、側面方向から見てＣ形状に形成して差し込み、倒れ止め、として設けたことを特徴とする請求項１、２に記載された  袋詰め補助具。
【考案の詳細な説明】
【技術分野】
【０００１】本考案は、主として土嚢袋や柔軟体の袋へ土砂や瓦礫等を詰めるときの補助具に関するものである。
【背景技術】
【０００２】  従来、建築現場や災害現場で土砂や瓦礫等の袋詰めは、一人が袋の口を開けもう一人がスコップ等で詰めるので二人がかりで能率が悪い。多種の補助具が考案されているが袋の大小の差に応用性が悪く、袋への出し入れも手間どる。また風圧や、傾斜地等では袋が倒れるので手で保持しなければならず、使いやすい物がなかった。
【先行技術文献】
【０００３】  特開２００３−２３１５１２
特表２００７−５０１７４４
特開２００９−７３５３３
特願２０１１−１７７７６７
【考案の概要】
【考案が解決しようとする課題】
【０００４】  本考案は、大小多種の袋を開口起立させて一人で袋詰めができ、操作がしやすく、風圧や、傾斜地でも倒れにくく、単純な構成で容易に製造ができ、耐久性があり取り扱いのしやすい最良の形態をめざしたものである。
１）特開２００３−２３１５１２は、本体を円筒形に設定したため、本体の外径以上の袋  は拡張できずにずりさがるので使用できない。また、円筒形のため袋との接触面が多く  袋へ入れにくい。
２）特表２００７−５０１７４４は形状が半円形なので、本体の半円形よりすこしでも大  きな袋は押し広げることが出来ずに袋がずり下がり起立できずにつぶれてしまう。袋を  開口し直立させるには、本体の上端に袋を固定する装置が必要であり、また、本体より  高さの短い袋は固定できない。また、風圧等で倒れやすい。
３）特開２００９−７３５３３は、土砂の入った袋は土圧により袋保持具が圧迫される。  上部が二重構造で下部が単板としてスライドするが、袋から引き上げるとき下部の単板  が土砂の中へ取り残される。また二重の隙間に土砂が入り壊れやすい。
４）特願２０１１−１７７７６７は単体の使用であり、複数の使用では横ずれどめがないので  略円形が安定しない。
本考案はこれらの問題点を解決するためになされたものである。
【課題を解決するための手段】
【０００５】  弾発力のある一枚の長方形状の薄板で平板の、長手方向の両側端へ直線状の凹凸を縦長に、本体の五分の一程度の幅で上端より下端まて、横ずれ止めとして設ける。【０００６】  平板の中心より上方の側端から人の指一本程度離して、人の指４本が充分に挿入できる細長の孔を端縁部に沿って両側端に把持孔として設ける。【０００７】  平板の長手方向の中央の上端より、平板全体の一割分程度下に、人の手の幅程で薄板が差し込める孔を横長に設け、その孔へ、人の手の幅で長方形の薄板を側面方向から見てＣ形状に形成して差し込み、倒れ止めとする。又、倒れ止めは取り外しができる。
上記に記載の袋詰め補助具は、一枚の薄い平板を複数枚使用する事により、大小異なる袋を開口起立し、傾斜地や風圧等でも倒れにくく、単純な形態で製造性が良く、変化のある作業現場でも土砂等の袋詰めが容易にできる。。【０００８】  請求項１の補助具は平板の長手方向の両側端へ、直線状の凹凸を縦長に本体の五分の一程度の幅で上端より下端まてずれ止めとして設ける。これは本体一枚で開口できない大きな袋へ、平な本体を折り曲げて半円形状で対面して二枚挿入し、半円形二枚で袋が略円形となり開口するときに本体の両側端がずれる事を防ぎ開口を安定させる。また重ねる幅の調整で大小異なる袋を略円形に開口できる。、【０００９】  請求項２に記載の袋詰め補助具によれば、本体を中心辺より折り曲げて両側端の把持孔を片手で把持し、本体を半折れＵ字形の狭小な形態として、一方の手に半開きの袋を持ち容易に挿入でき作業性が向上する。また、袋へ挿入後に手を離せば薄板の弾発力と袋の抵抗力により袋が開口し、袋の弱冠の長短に関係なく地面等の床上に起立できる。
【考案の効果】
【０００１０】  本体が弾力性のある一枚の薄い平板なので簡単にＵ字形に折り曲げて、袋を大きく広げなくとも、容易に挿入でき、弾発力と袋の抵抗力により袋を開口して、地面上に起立することが出来る。また、本体が平板なゆえに袋の拡張が自由である。袋へ二枚挿入して略円形となり開口起立でき、大きな袋には複数枚挿入して、開口起立できるので大小多様な袋に使用できる。【０００１１】  傾斜地や階段でも開口起立して一人でも土砂等が入れやすい。また、本体の倒れ止めを、固定したロ−プや柵等に絡めることにより、傾斜や風圧等で倒れにくくなり、平地でない変形した場所でも一人で作業ができる。【０００１２】  本体が平板なのでこわれにくく、土砂等で満杯の袋から取り出すときは、略半円形状なので土圧の抵抗も少なく軽く引き抜くことができる。さらに、形状が単純なので運搬、製造が容易である。
【図面の簡単な説明】
【０００１３】
【図１】  本考案の平面図である。
【図２】  本考案に取り付ける倒れ止めの斜視図である
【図３】  本考案の細孔に倒れ止めを差し込んだ側面図である。
【図４】  本考案の袋に装着する状況を示した説明図である。
【図５】  本考案の袋へ装着した使用図である。
【図６】  本考案の：傾斜地で袋と共に起立する側面図である。
【考案を実施するための形態】
【０００１４】  以下、本考案の実施例について説明する。
弾発力のある一枚の長方形状の平板の本体（１）の両側端へ凹凸を直線状に成形した横ずれ止め（２）を本体（１）の幅の五分の一程度の幅で、上端より下端まで縦長に複数設け、本体（１）の中心より上方の側端より人の指一本程度離して、指４本が充分に挿入できる細長の孔を端縁部に沿って両側端に設けて把持孔（３）とする。本体（１）の長手方向の中央の上端より平板全体の一割分程度下に、人の手の幅程で薄板が差し込める細孔（４）を横長に設け、その孔へ、人の手の幅程で長方形の薄板を、側面方向から見てＣ形状に形成した倒れ止め（５）を差し込む。
本考案は以上の構成よりなる。
本考案を使用するには、
イ、開いた袋（６）を片手で持ち、一方の手で半折れＵ字状に曲げた本体（１）の把持孔  （３）を持ち袋（６）へ挿入する。弾発力により本体（１）が略半円形になる程度で指  で押さえ、もう一枚の本体（１）を略半円形で対面して挿入すると、袋（６）が略円形  となり開口起立する。そこへスコップ（８）等で土砂等（９）を入れる。
ロ、大小に差のある袋（６）を使うときは、本体（１）二枚を略半円形で対面して挿入し  、両側端の横ずれ止め（２）の重なる幅を調整すれば、内径差を吸収して自在に略円形  にできる。
ハ、小さい袋（７）は本体（１）を一枚だけ挿入すれば略半円形の、Ｕ形や椀形に開口し  て起立できる。
ニ、傾斜地や階段等で使うには、本体（１）二枚を略半円形で対面して挿入し、略円形と  して、二枚の本体（１）を傾斜や階段の高低に合わせて、袋（６）内で上下させる。ま  た、本体（１）に差し込んだ倒れ止め（５）をロ−プや柵等に絡める事により、風圧に  よる倒れも防ぎ傾斜地や階段等での袋（６）詰め作業が一人でできる。
【符号の説明】
【０００１５】  １、本体  ２、横ずれ止め  ３、把持孔  ４、細孔  ５、倒れ止め  ６、袋  ７、手
８、スコップ  ９、土砂
【図１】
0003208822.tif 000003
【図２】
0003208822.tif 000004
【図３】
0003208822.tif 000005
【図４】
0003208822.tif 000006
【図５】
0003208822.tif 000007
【図６】
0003208822.tif 000008